(57)【要約】【課題】固定部品の部品点数が少なくて済む電子機器を得る。【解決手段】電子機器１は、上壁６とこの上壁６との間に空間Ｓを空けた下壁８とを有した筐体５と、筐体５に収容された機能ユニット２１と、筐体５に収容され、上壁６と下壁８との間に介在して上壁６を支持するフレーム構造体２２とを具備する。フレーム構造体２２は、機能ユニット２１に対向して機能ユニット２１を支持する。【選択図】      図３
2010146199.tif 000002
【特許請求の範囲】
【請求項１】
上壁と、この上壁との間に空間を空けた下壁とを有した筐体と、
上記筐体に収容された機能ユニットと、
上記筐体に収容され、上記上壁と上記下壁との間に介在して上記上壁を支持するフレーム構造体と、を具備し、
上記フレーム構造体は、上記機能ユニットに対向して上記機能ユニットを支持することを特徴とする電子機器。
【請求項２】
請求項１に記載の電子機器において、
上記機能ユニットは、上記筐体の内面に沿って配置され、
上記フレーム構造体は、上記筐体の内面とは反対側から上記機能ユニットを支持することを特徴とする電子機器。
【請求項３】
請求項２に記載の電子機器において、
上記機能ユニットは、上記筐体に固定された第１の端部と、上記筐体内で自由端となる第２の端部とを有し、
上記フレーム構造体は、上記機能ユニットの第１の端部から外れた部分を支持することを特徴とする電子機器。
【請求項４】
請求項３に記載の電子機器において、
上記フレーム構造体は、上記機能ユニットを間に挟むように互いに平行に延びた２本の第１のフレーム部材と、上記２本の第１のフレーム部材の間に掛け渡されるとともに上記機能ユニットを支持する第２のフレーム部材とを有したことを特徴とする電子機器。
【請求項５】
請求項４に記載の電子機器において、
上記機能ユニットは、回路基板と、上記回路基板に実装されたカードスロットとを有するとともに、上記カードスロットを上記筐体の内面に対向させており、
上記フレーム構造体は、上記回路基板を支持することを特徴とする電子機器。
【請求項６】
請求項５に記載の電子機器において、
上記フレーム構造体は、上記筐体の内面と上記機能ユニットとの間に挿入され、当該フレーム構造体を支持する爪部を有したことを特徴とする電子機器。
【請求項７】
上壁と、この上壁との間に空間を空けた下壁とを有した筐体と、
上記筐体に収容された機能ユニットと、
上記筐体に、他の機能ユニットの代わりに収容され、上記上壁と上記下壁との間に介在して上記上壁を支持するダミー部材と、を具備し、
上記ダミー部材は、上記機能ユニットに対向して上記機能ユニットを支持することを特徴とする電子機器。
【請求項８】
請求項１に記載の電子機器において、
上記機能ユニットは、上記筐体の内面に沿って配置され、
上記ダミー部材は、上記筐体の内面とは反対側から上記機能ユニットを支持することを特徴とする電子機器。
【発明の詳細な説明】
【技術分野】
【０００１】
本発明は、例えばポータブルコンピュータのような電子機器に関する。
【背景技術】
【０００２】
ポータブルコンピュータのような電子機器は、ＯＤＤ(Optical Disk Drive)ユニットやカードスロットユニットのような機能ユニットを搭載している。また一つの機種において、ＯＤＤユニットを搭載したモデルと、ＯＤＤユニットを搭載していないモデルとがそれぞれ提供されることがある。
【０００３】
特許文献１は、ＣＤ−ＲＯＭ装置のようなデバイスを備えたパーソナルコンピュータを開示している。このパーソナルコンピュータは、デバイスの前面に取り付けられ、突起ガイドが形成されたダミーベゼルを有する。キャビネットの前面部には、上記突起ガイドに対応した受けガイドが形成されている。この受けガイドに突起ガイドを嵌め込むことで、デバイスがキャビネットに取り付けられる。
【特許文献１】特開平９−２９２９３３号公報
【発明の開示】
【発明が解決しようとする課題】
【０００４】
ところで、ポータブルコンピュータのような電子機器は、固定部品の部品点数の削減が要望されている。
【０００５】
本発明の目的は、固定部品の部品点数が少なくて済む電子機器を得ることにある。
【課題を解決するための手段】
【０００６】
本発明の一つの形態に係る電子機器は、上壁とこの上壁との間に空間を空けた下壁とを有した筐体と、上記筐体に収容された機能ユニットと、上記筐体に収容され、上記上壁と上記下壁との間に介在して上記上壁を支持するフレーム構造体とを具備する。上記フレーム構造体は、上記機能ユニットに対向して上記機能ユニットを支持する。
【発明の効果】
【０００７】
本発明によれば、固定部品の部品点数が少なくて済む。
【発明を実施するための最良の形態】
【０００８】
以下に本発明の実施の形態を、ポータブルコンピュータに適用した図面に基づいて説明する。図１ないし図６は、本発明の一つの実施形態に係る電子機器としてのポータブルコンピュータ１を開示している。図１に示すように、ポータブルコンピュータ１は、機器本体である本体部２と、表示ユニットである表示部３とを備えている。
【０００９】
本体部２は、扁平な箱状に形成された本体筐体５を有している。本体筐体５は、本発明でいう筐体の一例である。以下、本体筐体５を単に筐体５と称する。筐体５は、上壁６、周壁７、および下壁８を有する。上壁６は、略水平に広がり、筐体５の上端部を形成している。下壁８は、上壁６との間に空間Ｓを空けて、上壁６と略平行に広がり、筐体５の下端部（底面部）を形成している（図６参照）。周壁７は、上壁６の周縁部から下方に延び、上壁６の周縁部と下壁８の周縁部との間を繋げている。
【００１０】
筐体５は、ベース部材１１（下カバー）と、カバー部材１２（上カバー）とを有する。ベース部材１１は、下壁８と、周壁７の一部とを含む。カバー部材１２は、上壁６と、周壁７の一部とを含む。カバー部材１２は、ベース部材１１に上方から組み合わされている。
【００１１】
図１に示すように、表示部３は、例えば一対のヒンジ部１３ａ，１３ｂを介して、筐体５の後端部５ａ（第１の端部）に支持されている。これにより、表示部３は、筐体５の上壁６を上方から覆うように倒される閉じ位置と、上壁６に対して立て起こされる開き位置との間で回動可能である。
【００１２】
図１に示すように、表示部３は、表示筐体１５と、この表示筐体１５に収容された表示パネル１６とを備えている。表示パネル１６は、表示画面１６ａを有している。表示画面１６ａは、表示筐体１５の前壁の開口部１５ａを通じて表示筐体１５の外部に露出している。
【００１３】
筐体５は、当該筐体５のなかで後端部５ａとは反対側となる前端部５ｂ（第２の端部）を有する。前端部５ｂは、ユーザー側となる端部である。上述の周壁７は、前壁部７ａ、後壁部７ｂ、および左右一対の側壁部７ｃ，７ｄを有する。前壁部７ａは、筐体５の前端部５ｂに位置する。後壁部７ｂは、筐体５の後端部５ａに位置する。左側壁部７ｃおよび右側壁部７ｄは、前壁部７ａの縁部と後壁部７ｂの縁部との間にそれぞれ延びている。
【００１４】
上壁６は、キーボード１７が載置されるキーボード載置部１８を有し、キーボード１７を支持している。上壁６は、キーボード載置部１８の手前側（すなわちキーボード載置部１８よりも前壁部７ａ側）に、パームレスト部１９を有する。
【００１５】
図２および図３に示すように、筐体５は、カードスロットユニット２１と、フレーム構造体２２とを収容している。カードスロットユニット２１は、本発明でいう機能ユニットの一例である。
【００１６】
本実施形態に係るカードスロットユニット２１は、例えばＳＤ(Secure Digital)カードスロットユニットである。なお本発明が適用可能なカードスロットユニットは、ＳＤカードスロットユニットに限らず、ＰＣカードスロットユニットやその他のカードスロットユニットも該当する。また本発明でいう機能ユニットは、カードスロットユニットに限らず、種々の機能ユニットであってもよい。
【００１７】
図６に示すように、カードスロットユニット２１は、筐体５の内面５ｉ（例えば筐体５の上壁６の内面６ｉ）に沿って配置されている。なお、例えば、図６に示すような小さな凸部が筐体５の内面５ｉに設けられている場合、この凸部の先端面（突出端面）も本発明でいう「筐体の内面」である。
【００１８】
図６に示すように、カードスロットユニット２１は、回路基板２４と、この回路基板２４に実装されたカードスロット２５（カードホルダー）とを有している。カードスロットユニット２１は、カードスロット２５を筐体５の内面５ｉ（例えば筐体５の上壁６の内面６ｉ）に対向させている。図６に示すように、筐体５は、カードＣを挿入するための開口部２６を有する。カードスロットユニット２１は、例えば開口部２６が設けられた側壁部７ｄに隣接して実装されている。
【００１９】
図４に示すように、カードスロットユニット２１は、第１の端部２１ａ、第２の端部２１ｂ、および中央部２１ｃを有する。本実施形態に係るカードスロットユニット２１は、第１および第２の端部２１ａ，２１ｂが回路基板２４によって形成されている。
【００２０】
第１の端部２１ａは、カードスロットユニット２１のなかで最も筐体５の側壁部７ｄの近くに位置する。図３および図４に示すように、第１の端部２１ａは、カードスロットユニット２１の長手方向に対して直交する方向に張り出した一対の張出部２８ａ，２８ｂを有する。これにより、第１の端部２１ａは、第２の端部２１ｂおよび中央部２１ｃに比べて、大きな幅を有する。
【００２１】
第１の端部２１ａは、例えば２つのねじ挿通孔２９を有する。図４に示すように、第１の端部２１ａに対向する筐体５の上壁６には、上記ねじ挿通孔２９に対向する例えば２つのボス３０が設けられている。このボス３０は、それぞれ雌ねじが形成されたねじ穴３１を有する。固定部品の一例であるねじ３２がねじ挿通孔２９に挿通されてねじ穴３１に係合することで、カードスロットユニット２１の第１の端部２１ａが筐体５に固定されている。
【００２２】
第２の端部２１ｂおよび中央部２１ｃは、第１の端部２１ａに比べて、筐体５の内側に位置している。第２の端部２１ｂは、ねじなどで特に固定されることなく、筐体５内で自由端（すなわちフリー）になっている。中央部２１ｃも同じく、特に固定されることなく、筐体５内で自由になっている。
【００２３】
本実施形態に係るポータブルコンピュータ１は、一つの機種において、ＯＤＤユニットを搭載したモデルと、ＯＤＤユニットを搭載していないモデルとがそれぞれ提供される機種であって、そのＯＤＤユニットを搭載していないモデルである。図７は、本実施形態に係るポータブルコンピュータ１と同じ機種におけるＯＤＤユニットを搭載したモデルを示す。なお図６に示す本実施形態に係るポータブルコンピュータ１と同一または類似の機能を有する構成は、同一の符号を付してその説明を省略する。
【００２４】
図７に示すように、ポータブルコンピュータ５１の筐体５は、ＯＤＤユニット３４を収容している。ＯＤＤユニット３４は、本発明でいう「他の機能ユニット」の一例である。なお本発明でいう「他の機能ユニット」は、ＯＤＤユニットに限らず、ＦＤＤやＣＤ−ＲＯＭドライブ、またはＤＶＤなどであってもよい。
【００２５】
図７に示すように、ＯＤＤユニット３４は、カードスロットユニット２１の下方に配置され、カードスロットユニット２１と下壁８との間に介在している。カードスロットユニット２１の回路基板２４は、ＯＤＤユニット３４に沿って配置されている。
【００２６】
ＯＤＤユニット３４は、筐体５の内面５ｉ（例えば筐体５の上壁６の内面６ｉ）とは反対側からカードスロットユニット２１を支持する。詳しく述べると、ＯＤＤユニット３４は、カードスロットユニット２１に接しているか、または小さな隙間（例えば１ｍｍ程度の隙間）を空けてカードスロットユニット２１に対向している。そのため、自由端であるカードスロットユニット２１の第２の端部２１ｂが振れようとするとき、ＯＤＤユニット３４がカードスロットユニット２１を押さえる。これにより、カードスロットユニット２１の筐体５内での振れが抑制される。
【００２７】
図５および図６に示すように、本実施形態に係るフレーム構造体２２は、ＯＤＤユニット３４（すなわち他の機能ユニット）を搭載しないモデルにおいて、ＯＤＤユニット３４（すなわち他の機能ユニット）の代わりに搭載されたダミー部材（例えばダミーＯＤＤ）である。
【００２８】
図３および図４に示すように、フレーム構造体２２は、複数の第１のフレーム部材４１と、複数の第２のフレーム部材４２とを有する。複数の第１のフレーム部材４１は、例えば互いに平行に、筐体５の幅方向に延びている。複数の第２のフレーム部材４２は、例えば互いに平行に、第１のフレーム部材４１に直交する方向に延びている。フレーム構造体２２は、複数の第１のフレーム部材４１と、複数の第２のフレーム部材４２とが組み合わされ、例えば一部が格子状に形成されている。
【００２９】
図３および図５に示すように、第１のフレーム部材４１は、上壁６に沿って延びるとともに、第２のフレーム部材４２との交点部４３において下壁８に向いて隆起している。第２のフレーム部材４２は、下壁８に沿って延びるとともに、第１のフレーム部材４１との交点部４３において上壁６に向いて隆起している。これにより、フレーム構造体２２の厚さは、筐体５の上壁６と下壁８との間の空間Ｓの厚さと略同じになっている。
【００３０】
図５に示すように、フレーム構造体２２は、上壁６と下壁８との間（すなわちベース部材１１とカバー部材１２との間）に介在し、上壁６を支持する。詳しく述べると、フレーム構造体２２は、上壁６および下壁８の両方に接しているか、または上壁６および下壁８のいずれか一方との間に小さな隙間（例えば１ｍｍ程度の隙間）を空けて上壁６に対向している。そのため、上壁６が下壁８に向けて凹もうとするとき、フレーム構造体２２が上壁６を下方から支える。すなわち、本発明でいう「上壁を支持する」とは、常に上壁を支持している状態に限らず、上壁が下壁に向けて凹もうとするとき一時的に支持することも含む。
【００３１】
図３に示すように、フレーム構造体２２は、カードスロットユニット２１よりも大きな外形を有する。フレーム構造体２２は、ＯＤＤユニット３４の外形に近い大きさを有する。フレーム構造体２２は、例えばキーボード載置部１８の下方からパームレスト部１９の下方に亘り設けられ、キーボード載置部１８とパームレスト部１９とを支持する。
【００３２】
図３および図６に示すように、フレーム構造体２２は、カードスロットユニット２１に対して重ねられており、カードスロットユニット２１を支持する。詳しく述べると、フレーム構造体２２は、筐体５の内面５ｉ（例えば筐体５の上壁６の内面６ｉ）とは反対側からカードスロットユニット２１を支持する。ＯＤＤユニット３４は、カードスロットユニット２１に接しているか、または小さな隙間（例えば１ｍｍ程度の隙間）を空けてカードスロットユニット２１に対向している。すなわち、本発明でいう「機能ユニットを支持する」とは、常に機能ユニットを支持している状態に限らず、機能ユニットが筐体内で振れようとするとき一時的に支持することも含む。
【００３３】
より詳しく述べると、図３および図４に示すように、２本の第１のフレーム部材４１は、カードスロットユニット２１を間に挟むように互いに平行に延びている。例えば２本の第２のフレーム部材４２は、上記２本の第１のフレーム部材４１の間に掛け渡され、カードスロットユニット２１に対向している。図６に示すように、この第２のフレーム部材４２がカードスロットユニット２１を支持する。
【００３４】
図３に示すように、上述したフレーム構造体２２の構造を換言すれば、第２のフレーム部材４２は、第１のフレーム部材４１との交点部４３を外れてカードスロット４２に向かい合う部分に、当該第２のフレーム部材４２の厚さが小さく切欠き部４４を有する。この切欠き部４４は、例えばカードスロットユニット２１の厚さ分だけフレーム構造体２２の厚さを小さくしている。切欠き部４４は、カードスロットユニット２１に対向し、カードスロットユニット２１を支持する。
【００３５】
図６に示すように、フレーム構造体２２は、カードスロットユニット２１の回路基板２４を支持する。フレーム構造体２２は、例えばカードスロットユニット２１の中央部２１ｃ（すなわち第１の端部から外れた部分）を支持する。なおフレーム構造体２２は、カードスロットユニット２１の第２の端部２１ｂを支持してもよい。カードスロットユニット２１に対するフレーム構造体２２の支持部位は、特定の場所に限定されるものではなく、任意に設定することができる。
【００３６】
図４に示すように、フレーム構造体２２は、カードスロットユニット２１の第１の端部２１ａに隣り合う当該フレーム構造体２２の第１の端部２２ａに、一対の爪部４６ａ，４６ｂを有する。爪部４６ａ，４６ｂは、筐体５の内面５ｉとカードスロットユニット２１との間（すなわち、上壁６の内面６ｉと、回路基板２４の張出部２８ａ，２８ｂとの間）に挿入され、フレーム構造体２２を支持する。
【００３７】
図４に示すように、フレーム構造体２２は、当該フレーム構造体２２のなかで第１の端部２２ａとは反対側となる第２の端部２２ｂを有する。この第２の端部２２ｂは、位置決め部４７を有している。位置決め部４７は、例えば貫通孔である位置決め孔４８を有する。位置決め部４７に対向する筐体５の上壁６には、上記位置決め孔４８に係合する位置決め突起４９が設けられている。フレーム構造体２２の位置決め孔４８を位置決め突起４９に係合させることで、フレーム構造体２２の第２の端部２２ｂの位置が決まる。本実施形態に係るフレーム構造体２２は、ベース部材１１がカバー部材１２に組み合わされることで、筐体５内に固定されている。
【００３８】
次に、ポータブルコンピュータ１のフレーム構造体２２周りの組立について説明する。  
図３および図４に示すように、仰向けに寝かされたカバー部材１２に対して、まずカードスロットユニット２１を取り付ける。詳しくは、ねじ挿通孔２９をボス３０のねじ穴３１に対向させ、ねじ３２によりカードスロットユニット２１を筐体５に固定する。
【００３９】
カードスロットユニット２１を固定した後、フレーム構造体２２を傾けた姿勢にし、一対の爪部４６ａ，４６ｂを回路基板２４の張出部２８ａ，２８ｂと筐体５の内面５ｉとの間に挿入する。爪部４６ａ，４６ｂを挿入した後、フレーム構造体２２の姿勢を水平に戻すとともに、位置決め孔４８を位置決め突起４９に係合させるようにして、フレーム構造体２２を上壁６の内面６ｉに載置する。フレーム構造体２２を上壁６の内面６ｉに載置した状態で、ベース部材１１をカバー部材１２に組み合わせることで、フレーム構造体２２の位置が固定される。
【００４０】
次に、ポータブルコンピュータ１の作用について説明する。  
上壁６（すなわちカバー部材１２の上面）には、ポータブルコンピュータ１の操作時にユーザーの手や腕などから押圧力が加わり、上壁６が下壁８に向けて凹もうとする。上壁６が下壁８に向けて凹むと操作上の不快感が生じる。本実施形態では、筐体５に収容されたフレーム構造体２２が下方から上壁６を支持し、上記押圧力に対抗する。すなわちフレーム構造体２２がカバー部材１２の押し凹み対策機能を有し、上壁６が下壁８に向けて凹みにくくなっている。
【００４１】
第１の端部２１ａが固定され、第２の端部２１ｂがフリー状態のカードスロットユニット２１は、例えば持ち運び時などに筐体５内で振れようとする。本実施形態では、フレーム構造体２２がカードスロットユニット２１を筐体５の内面５ｉとの間で挟持している。つまりフレーム構造体２２が、筐体５内で振れようとするカードスロットユニット２１を抑え込む。すなわち、フレーム構造体２２がカードスロットユニット２１の振れ防止機能を有し、カードスロットユニット２１の筐体５内での振れが抑制される。
【００４２】
このような構成のポータブルコンピュータ１によれば、固定部品の部品点数が少なくて済む。すなわち、例えばカードスロットユニット２１の振れを抑制するためには、カードスロット２５の第１および第２の端部２１ａ，２１ｂの両方をねじのような固定部品で筐体５に固定する必要がある。
【００４３】
しかしながら、本実施形態に係るポータブルコンピュータ１では、筐体５に収容されて上壁６を支持するフレーム構造体２２が、カードスロットユニット２１に対向してカードスロットユニット２１をも支持する。すなわちフレーム構造体２２が、カバー部材１２の押し凹み対策機能に加え、カードスロットユニット２１の振れ防止機能をも有する。これにより、カードスロットユニット２１を固定する固定部品（例えばねじ）の部品点数が少なくても、カードスロットユニット２１の振れを抑制することができる。すなわちカードスロットユニット２１を固定する固定部品の部品点数が少なくて済む。
【００４４】
カードスロットユニット２１が筐体５の内面５ｉに沿って配置されており、フレーム構造体２２が、筐体５の内面５ｉとは反対側からカードスロットユニット２１を支持すると、フレーム構造体２２は、筐体５の内面５ｉを利用してカードスロットユニット２１の振れを抑制することができる。フレーム構造体２２は、例えば一方向からの支持でカードスロット２１の振れを抑制することができる。これにより、カードスロットユニット２１の振れ防止に関連する部品点数をより減らすことが可能になる。
【００４５】
カードスロットユニット２１が、筐体５に固定された第１の端部２１ａと、筐体５内で自由端となる第２の端部２１ｂとを有しており、フレーム構造体２２が、カードスロットユニット２１の第１の端部２１ａから外れた部分を支持すると、カードスロットユニット２１の不安定な部位を支持することになるので、カードスロットユニット２１の振れ抑制を高いレベルで実現しやすくなる。
【００４６】
フレーム構造体２２が、カードスロットユニット２１を間に挟むように互いに平行に延びた２本の第１のフレーム部材４１と、２本の第１のフレーム部材４１の間に掛け渡されるとともにカードスロットユニット２１を支持する第２のフレーム部材４２とを有すると、カードスロット２５を直接に支持する第２のフレーム部材４２が第１のフレーム部材４１によって適切に支持されることになる。これにより、カードスロットユニット２１の振れ抑制をより高いレベルで実現しやすくなる。
【００４７】
本実施形態では、カードスロットユニット２１が、回路基板２４と、回路基板２４に実装されたカードスロット２５とを有するとともに、カードスロット２５を筐体５の内面５ｉに対向させており、フレーム構造体２２は、回路基板２４を支持する。すなわち比較的凹凸があるカードスロット２５を筐体５の内面５ｉに向け、比較的平坦な回路基板２４をフレーム構造体２２に対向させている。これにより、フレーム構造体２２は、カードスロット２５の位置や形状を考慮することなくカードスロットユニット２１の任意の部位を押さえることができる。すなわち部品設計の自由度が高くなる。
【００４８】
フレーム構造体２２が、筐体５の内面５ｉとカードスロットユニット２１との間に挿入され、当該フレーム構造体２２を支持する爪部４６ａ，４６ｂを有すると、フレーム構造体２２の固定に用いられる固定部品の数を減らすことができる。また、フレーム構造体２２が爪部４６ａ，４６ｂを有すると、例えば回路基板２４とフレーム構造体２２とをねじ３２で共締めする場合に比べて、組立容易性が高くなっている。
【００４９】
以上、本発明の一つの実施形態に係るポータブルコンピュータ１について説明したが、本発明はこれらに限られるものではない。各実施形態に係る構成要素は、適宜組み合わせて実施することができる。また、本発明は、実施段階ではその要旨を逸脱しない範囲で構成要素を変形して具体化できる。
【００５０】
例えば本発明は、ポータブルコンピュータ以外の電子機器にも適用することができる。上記実施形態では、機能ユニットの一例であるカードスロットユニット２１がカバー部材１２に沿って搭載されているが、これに代えて機能ユニットはベース部材１１に沿って搭載されてもよい。
【図面の簡単な説明】
【００５１】
【図１】本発明の一つの実施形態に係るポータブルコンピュータの斜視図。
【図２】図１中に示された筐体の平面図。
【図３】図１中に示されたポータブルコンピュータの内部を示す斜視図。
【図４】図３中に示されたポータブルコンピュータの内部を一部分解して示す斜視図。
【図５】図１中に示されたポータブルコンピュータの図２中のＦ５線に沿う断面図。
【図６】図１中に示されたポータブルコンピュータの図２中のＦ６線に沿う断面図。
【図７】図１中に示されたポータブルコンピュータのＯＤＤ搭載モデルを示す断面図。
【符号の説明】
【００５２】
Ｓ…空間、１…ポータブルコンピュータ、５…筐体、５ｉ…内面、６…上壁、８…下壁、２１…カードスロットユニット、２１ａ…第１の端部、２１ｂ…第２の端部、２２…フレーム構造体、２４…回路基板、２５…カードスロット、４１…第１のフレーム部材、４２…第２のフレーム部材、４６ａ，４６ｂ…爪部。
【図１】
2010146199.tif 000003
【図２】
2010146199.tif 000004
【図３】
2010146199.tif 000005
【図４】
2010146199.tif 000006
【図５】
2010146199.tif 000007
【図６】
2010146199.tif 000008
【図７】
2010146199.tif 000009